(57)【要約】  【課題】  イオン発生装置の放電音が目立たない暖房機器を提供する。  【解決手段】  暖房機器は、燃料を燃焼させて熱を発生させる燃焼装置１４と、ファンを回転させるファンモータ１５と、正負イオンを発生させるイオン発生装置５と、これらを制御する制御部１０と、を備える。制御部１０は、燃焼装置１４の点火をし、ファンモータ１５を回転駆動させたのちにイオン発生装置５を駆動させ、燃焼装置１４の出力熱量に応じてイオン発生装置５を制御し、イオン発生装置５の駆動を停止させたのちに燃焼装置１４の消火をし、燃焼装置１４の消火から所定の時間経過後にファンモータ１５の回転駆動を停止させる。【選択図】      図３
2005055122.tif 000002
【特許請求の範囲】
【請求項１】
燃料を燃焼させて熱を発生する燃焼装置と、
外部の空気を吸入し、その吸入した空気を前記燃焼装置が設けられた通路を経由して外部に排出する送風機と、
イオンを発生するイオン発生装置と、
前記燃焼装置、前記送風機、及び前記イオン発生装置を制御する制御部と、
を備え、
前記制御部が、前記燃焼装置の点火をし、前記送風機を駆動させたのちに前記イオン発生装置を駆動させることを特徴とする暖房機器。
【請求項２】
燃料を燃焼させて熱を発生する燃焼装置と、
外部の空気を吸入し、その吸入した空気を前記燃焼装置が設けられた通路を経由して外部に排出する送風機と、
イオンを発生するイオン発生装置と、
前記燃焼装置、前記送風機、及び前記イオン発生装置を制御する制御部と、
を備え、
前記制御部が前記イオン発生装置の駆動を停止させたのちに前記燃焼装置の消火をし、前記燃焼装置の消火から所定の時間経過後に前記送風機の駆動を停止させることを特徴とする暖房機器。
【請求項３】
燃料を燃焼させて熱を発生する燃焼装置と、
外部の空気を吸入し、その吸入した空気を前記燃焼装置が設けられた通路を経由して外部に排出する送風機と、
イオンを発生するイオン発生装置と、
前記燃焼装置、前記送風機、及び前記イオン発生装置を制御する制御部と、
を備え、
前記制御部が前記燃焼装置の出力熱量に応じて前記イオン発生装置を制御することを特徴とする暖房機器。
【請求項４】
燃料を燃焼させて熱を発生する燃焼装置と、
外部の空気を吸入し、その吸入した空気を前記燃焼装置が設けられた通路を経由して外部に排出する送風機と、
イオンを発生するイオン発生装置と、
前記燃焼装置、前記送風機、及び前記イオン発生装置を制御する制御部と、
を備え、
前記制御部が、前記送風機の駆動と前記イオン発生装置の駆動を略同時に停止させることを特徴とする暖房機器。
【請求項５】
前記制御部が、前記燃焼装置の消火を行ってから所定の時間経過後に前記イオン発生装置及び前記送風機の駆動を停止させる請求項４に記載の暖房機器。
【請求項６】
前記制御部が、温度制御のために一時的に前記燃焼装置を消火状態にしている期間中常に前記イオン発生装置及び前記送風機を駆動させる請求項４に記載の暖房機器。
【請求項７】
前記イオン発生装置から発生するイオンは正負イオンとすることを特徴とする請求項１〜６のいずれか一つに記載の暖房機器。
【発明の詳細な説明】
【技術分野】
【０００１】
本発明は、暖房機器に関する。
【背景技術】
【０００２】
従来より、正負イオンを発生させるイオン発生装置を備えた空気清浄機や空気調和機が提案されている（例えば、特許文献２）。イオン発生装置における正負イオン発生の原理は、誘電体が介在するように対向させた一対の電極間に高電圧を印加することにより、コロナ放電を起こし、空気中の酸素ないしは水分が電離によりイオン化し、Ｈ+(Ｈ2Ｏ)m（ｍは任意の自然数）と、Ｏ2-(Ｈ2Ｏ)n（ｎは任意の自然数）とが主体のイオンを放出するものである。これらＨ+(Ｈ2Ｏ)m及びＯ2-(Ｈ2Ｏ)nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の一種であり、ラジカルのＯＨを示している。
【０００３】
正負イオンは浮遊細菌の細胞表面で（１）式〜（３）式に示すように化学反応して、活性種である過酸化水素（Ｈ2Ｏ2）または水酸基ラジカル（・ＯＨ）を生成する。ここで、（１）式〜（３）式において、ｍ、ｍ'、ｎ、ｎ'は任意の自然数である。これにより、活性種の分解作用によって浮遊細菌が破壊される。従って、効率的に空気中の浮遊細菌を、不活化、除去することができる。
Ｈ+(Ｈ2Ｏ)m＋Ｏ2-(Ｈ2Ｏ)n→・ＯＨ＋1/2Ｏ2＋(m+n)Ｈ2Ｏ …（１）
Ｈ+(Ｈ2Ｏ)m＋Ｈ+(Ｈ2Ｏ)m'＋Ｏ2-(Ｈ2Ｏ)n＋Ｏ2-(Ｈ2Ｏ)n'→ 2・ＯＨ＋Ｏ2＋(m+m'+n+n')Ｈ2Ｏ…（２）
Ｈ+(Ｈ2Ｏ)m＋Ｈ+(Ｈ2Ｏ)m'＋Ｏ2-(Ｈ2Ｏ)n＋Ｏ2-(Ｈ2Ｏ)n'→ Ｈ2Ｏ2＋Ｏ2＋(m+m'+n+n')Ｈ2Ｏ …（３）
【０００４】
また、上記（１）式〜（３）式は、空気中の有害物質表面でも同様に作用を生じさせることができるため、活性種である過酸化水素（Ｈ2Ｏ2）または水酸基ラジカル（・ＯＨ）が、ホルムアルデヒドやアンモニアなどの化学物質を、酸化若しくは分解して、二酸化炭素や、水、窒素などの無害な物質に変換することにより、実質的に無害化することが可能である。
【０００５】
その他、正イオンと負イオンには、インフルエンザウィルス、コクサッキーウィルスなどのウィルス類も不活化する働きがあり、これらウィルスの混入による汚染が防止できる。
【０００６】
また、正イオンと負イオンには、臭いの元となる分子を分解する働きがあることも確かめられており、空間の脱臭にも利用できる。
【０００７】
イオン発生装置はイオンの発生時に放電音を発するが、空気清浄機や空気調和機では室内の空気を吸い込むための吸入口や室内に空気を吹き出すための吹出口から離れた位置にイオン発生装置を設けているため、イオン発生装置の放電音が機外に漏れることはなかった。
【特許文献１】特開平８−６１６５２号公報
【特許文献２】特開２００２−８９８６８号公報
【発明の開示】
【発明が解決しようとする課題】
【０００８】
しかしながら、ファンヒータ等の暖房機器にイオン発生装置を設ける場合、イオン発生装置の耐久性の観点から高温になる位置を避けると、イオン発生装置を吸入口や吹出口の近傍に設置することになる。イオン発生装置を吸入口や吹出口の近傍に設置した場合、イオン発生装置の放電音が暖房機器から外部に漏れることになり、この音がユーザーに不快感をもたらすおそれがあった。
【０００９】
本発明は、上記の問題点に鑑み、イオン発生装置の放電音が目立たない暖房機器を提供することを第一の目的とする。
【００１０】
一方、イオン発生装置の放電音を目立たなくなることよりもイオンによって得られる効果（正負イオンの場合は浮遊細菌の不活化、有害物質の無毒化、ウィルス類の不活化、室内の脱臭等）を優先させたいユーザーもいる。このようなユーザーの要望に応えるために、本発明はイオンによって得られる効果を奏する時間がより長い暖房機器を提供することを第二の目的とする。
【課題を解決するための手段】
【００１１】
上記第一の目的を達成するために本発明に係る暖房機器は、燃料を燃焼させて熱を発生する燃焼装置と、外部の空気を吸入し、その吸入した空気を前記燃焼装置が設けられた通路を経由して外部に排出する送風機と、イオンを発生するイオン発生装置と、前記燃焼装置、前記送風機、及び前記イオン発生装置を制御する制御部と、を備え、前記制御部が、前記燃焼装置の点火をし、前記送風機を駆動させたのちに前記イオン発生装置を駆動させるようにしている。
【００１２】
このような構成によると、送風機が駆動し、燃焼装置の点火後にイオン発生装置が駆動する。したがって、送風機の回転音及び燃焼装置の燃焼音によってイオン発生装置の放電音を目立たなくすることができ、ユーザーに不快感をもたらすことを低減することができる。また、燃焼装置の燃焼が不安定な点火時に、イオン発生装置を駆動させないことによって点火動作の安定化を図ることができる。また、イオン発生装置が発するイオンは、数秒〜数十秒の寿命で消滅する。このため、送風機が駆動することによって生じる空気流を利用してイオン発生装置が発するイオンを暖房機器の外部に排出しなければ、イオンによって得られる実効が無いが、上記構成の暖房機器では送風機の駆動後にイオン発生装置を駆動させているので、イオン発生装置が発するイオンが無駄になることはない。
【００１３】
また、上記第一の目的を達成するために本発明に係る暖房機器は、燃料を燃焼させて熱を発生する燃焼装置と、外部の空気を吸入し、その吸入した空気を前記燃焼装置が設けられた通路を経由して外部に排出する送風機と、イオンを発生するイオン発生装置と、前記燃焼装置、前記送風機、及び前記イオン発生装置を制御する制御部と、を備え、前記制御部が前記イオン発生装置の駆動を停止させたのちに前記燃焼装置の消火をし、前記燃焼装置の消火から所定の時間経過後に前記送風機の駆動を停止させるようにしている。
【００１４】
このような構成によると、イオン発生装置が駆動しているときは、送風機の回転音及び燃焼装置の燃焼音が発生する。したがって、イオン発生装置が駆動しているときは、送風機の回転音及び燃焼装置の燃焼音によってイオン発生装置の放電音を目立たなくすることができ、ユーザーに不快感をもたらすことを低減することができる。
【００１５】
また、上記第一の目的を達成するために本発明に係る暖房機器は、燃料を燃焼させて熱を発生する燃焼装置と、外部の空気を吸入し、その吸入した空気を前記燃焼装置が設けられた通路を経由して外部に排出する送風機と、イオンを発生するイオン発生装置と、前記燃焼装置、前記送風機、及び前記イオン発生装置を制御する制御部と、を備え、前記制御部が前記燃焼装置の出力熱量に応じて前記イオン発生装置を制御するようにしている。
【００１６】
このような構成によると、燃焼装置の出力熱量が小さくて燃焼音が小さいときのイオン発生装置の放電音量を小さくできるので、燃焼装置の出力熱量が小さいときのユーザーの不快感を低減することができる。
【００１７】
上記第二の目的を達成するために本発明に係る暖房機器は、燃料を燃焼させて熱を発生する燃焼装置と、外部の空気を吸入し、その吸入した空気を前記燃焼装置が設けられた通路を経由して外部に排出する送風機と、イオンを発生するイオン発生装置と、前記燃焼装置、前記送風機、及び前記イオン発生装置を制御する制御部と、を備え、前記制御部が、前記送風機の駆動と前記イオン発生装置の駆動を略同時に停止させるようにしている。
【００１８】
このような構成によると、たとえ燃焼装置の消火が行われイオン発生装置の放電音が目立つ状態であっても送風機の駆動を停止しなければイオン発生装置の駆動も停止しないので、イオンによって得られる効果を奏する時間がより長い暖房機器を実現することができる。
【００１９】
また、上記第二の目的を達成するために、さらに前記制御部が、前記燃焼装置の消火をし、前記燃焼装置の消火を行ってから所定の時間経過後に前記イオン発生装置及び前記送風機の駆動を停止させるようにしてもよい。
【００２０】
このような構成によると、燃焼装置の消火後所定の期間が経過するまでの期間もイオンによって得られる効果を奏するので、イオンによって得られる効果を奏する時間を長くすることができる。
【００２１】
また、上記第二の目的を達成するために、さらに前記制御部が、温度制御のために一時的に前記燃焼装置を消火状態にしている期間中常に前記イオン発生装置及び前記送風機を駆動させるようにしてもよい。
【００２２】
このような構成によると、燃焼装置が消火状態である期間中常にイオンによって得られる効果を奏するので、イオンによって得られる効果を奏する時間をより一層長くすることができる。
【００２３】
また、上記いずれかの構成の暖房機器において、前記イオン発生装置から発生するイオンを正負イオンとしてもよい。
【００２４】
このような構成によると、浮遊細菌の不活化、有害物質の無毒化、ウィルス類の不活化、室内の脱臭等の効果を得ることができる。
【発明の効果】
【００２５】
本発明によると、イオン発生装置の放電音が送風機の回転音と燃焼装置の燃焼音によってマスキングされるため、イオン発生装置の放電音が目立たない暖房機器を実現することができる。
【００２６】
また、イオン発生装置が発するイオンは、数秒〜数十秒の寿命で消滅する。このため、送風機が駆動することによって生じる空気流を利用してイオン発生装置が発するイオンを暖房機器の外部に排出しなければ、イオンによって得られる実効が無い。したがって、送風機を駆動させない状態でイオン発生装置の駆動時間を長くしただけでは、イオンによって得られる効果を奏する時間は長くならない。本発明によると、たとえ燃焼装置の消火が行われイオン発生装置の放電音が目立つ状態であっても送風機の駆動を停止しなければイオン発生装置の駆動も停止しないので、イオンによって得られる効果を奏する時間がより長い暖房機器を実現することができる。
【発明を実施するための最良の形態】
【００２７】
本発明の一実施形態について図面を参照して説明する。図１は、本発明に係る石油ファンヒータの斜視図である。石油ファンヒータ１は、縦長の略直方体形状をなし、前面中央部には室内に温風を吹き出すための吹出口２が形成され、吹出口２の上部近傍に多数のスリット穴を配列したイオン吹出口３が形成される。また、石油ファンヒータ１の背面には室内の空気を吸い込むための吸入口（図示せず）が形成される。さらに、石油ファンヒータ１の上部には、温度表示やエラー表示をする表示装置や運転スイッチ、運転表示ランプ、温度設定スイッチなどが設けられた操作部４が形成される。
【００２８】
図２は、石油ファンヒータ１の概略側断面図である。なお、図２において図１と同一の部分には同一の符号を付し詳細な説明を省略する。ファン７が回転すると、吸入口６から空気が吸い込まれ、吸い込まれた空気は通路８を通って吹出口２から排出される。バーナー９はガス化された石油を燃焼させて熱を発生し、通路８を通過する空気を温める。また、ファン７が回転すると、イオン吹出口３の近傍に設けられたイオン発生装置５の電極間に正圧がかかるとともに、イオン発生装置５の駆動中に発生する正負イオンが吹出口２から排出される空気流に引かれてイオン吹出口３から排出される。なお、イオン発生装置が発する正負イオンは、正イオンと負イオンとの衝突による中和等により数秒〜数十秒の寿命で消滅する。このため、ファン７が回転することによって生じる空気流を利用してイオン発生装置５が発する正負イオンを石油ファンヒータ１の外部に排出しなければ、正負イオンによって得られる実効が無い。
【００２９】
図３は、石油ファンヒータ１の制御ブロック図を示している。なお、図３において図２と同一の部分には同一の符号を付し詳細な説明を省略する。マイクロコンピュータから成る制御部１０は、運転スイッチ１１から出力される信号と温度設定スイッチ１２から出力される信号と室温センサ１３から出力される信号とに応じて、燃焼装置１４と、イオン発生装置５と、及びファン７が回転軸に取り付けられているモータ１５（以下、ファンモータ１５という）とを制御する。
【００３０】
制御部１０の制御動作について図４のフローチャートを参照して説明する。運転停止状態の石油ファンヒータ１の運転スイッチ１１をユーザが押下すると、制御部１０が運転スイッチ１１の出力信号を入力して制御動作を開始する。まず、制御部１０は操作部４の運転ランプを点灯させる（ステップＳ１０）。
【００３１】
そして、制御部１０は燃焼装置１４の点火を行う（ステップＳ２０）。具体的には、制御部１０からの制御命令にしたがって、燃焼装置１４は、まず気化器ヒーターをオンにし、電磁ポンプを動作させて燃料タンクから気化器に石油を供給し、気化器内の石油を加熱してガス化するとともに、バーナーの上方に設けられた点火ヒーターをオンにする。そして、気化器に設けられたソレノイドが駆動してノズルが開いてガス化された石油をバーナーに噴射する。これにより、通常ノズルを開いてから０．５秒〜１秒後にバーナーで燃焼炎が形成される。
【００３２】
石油ファンヒータにはフレーム検出用電極がバーナーの正常燃焼時に燃焼炎の中に位置するように設けられ、ノズルが開くのと同時にフレーム検出用電極とバーナーとの間に電圧が印加される。例えば、フレーム検出用電極の電位を＋２４Ｖにし、バーナーの電位を０Ｖにする。そして、フレーム検出用電極とバーナーとの間を流れるフレーム電流を検出し、その検出したフレーム電流に応じた値と検出レベルとの比較に基づいて燃焼炎の有無を判定する。例えば、フレーム電流に応じた値をフレーム検出用電極とバーナーとの間のインピーダンスにした場合、そのインピーダンスが検出レベル以上であれば燃焼炎が有ると判定し検出レベル未満であれば燃焼炎が無いと判定する。燃焼炎が有ると判定してから５秒後に、制御部１０が点火ヒータの通電を止めるとともに予め設定されている回転数でファンモータ１５を回転させる（ステップＳ３０）。ファン７の回転によって室内の空気を吸入口６から通路８に取り込んでバーナー９に形成された燃焼炎によって温風となし、吹出口２２から室内に吹き出す。そして、これ以後の燃焼では、バーナー９に形成された燃焼炎によって気化器を加熱することによって、石油のガス化を行っている。
【００３３】
そして、ノズルが開いてから所定の時間（例えば２７秒）経過後に制御部１０が着火判定を行う（ステップＳ４０）。フレーム検出用電極とバーナーとの間を流れるフレーム電流を検出し、その検出したフレーム電流に応じた値と検出レベルとの比較に基づいて着火の有無を判定する。例えば、フレーム電流に応じた値をフレーム検出用電極とバーナーとの間のインピーダンスにした場合、そのインピーダンスが検出レベル以上であれば着火していると判定し検出レベル未満であれば着火してないと判定する。
【００３４】
着火していると判定されれば（ステップＳ４０のＹｅｓ）、制御部１０はイオン発生装置５を駆動させ、イオン発生装置５の電極間に高電圧を印加して正負イオンを発生させる（ステップＳ５０）。一方、着火していないと判定されれば（ステップＳ４０のＮｏ）、燃焼装置１４の動作を停止し、ファンモータ１５の回転駆動を停止し、操作部４の表示装置にエラー表示をさせる（ステップＳ６０）。例えば、点火ヒータが断線しているとき等は燃焼炎が形成されないので、着火していないと判定される。
【００３５】
上記ステップＳ１０〜ステップＳ６０が点火時における制御動作である。上述したように石油ファンヒータ１では、ファンモータ１５が回転駆動し、燃焼装置１４において燃焼炎が形成された後にイオン発生装置５が駆動する。したがって、ファン７及びファンモータ１５の回転音及び燃焼装置１４の燃焼音によってイオン発生装置５の放電音を目立たなくすることができ、ユーザーに不快感をもたらすことを低減することができる。また、燃焼装置１４の燃焼が不安定な点火時に、イオン発生装置５を駆動させないことによって点火動作の安定化を図ることができる。また、イオン発生装置が発する正負イオンは、正イオンと負イオンとの衝突による中和等により数秒〜数十秒の寿命で消滅する。このため、ファン７が回転することによって生じる空気流を利用してイオン発生装置５が発する正負イオンを石油ファンヒータ１の外部に排出しなければ、正負イオンによって得られる実効が無いが、石油ファンヒータ１ではファン７の回転後にイオン発生装置５を駆動させているので、イオン発生装置５が発する正負イオンが無駄になることはない。
【００３６】
続いて点火後の制御動作について説明する。制御部１０は、ユーザが温度設定スイッチ１２を押下することによって入力される設定温度と室温センサ１３によって検知される室温との差に応じて、燃焼装置１４の出力熱量及びファンモータ１５の回転数を制御する（ステップＳ７０）。すなわち、制御部１０は、設定温度と室温との差が大きいときは燃焼装置１４の出力熱量及びファンモータ１５の回転数を大きくし、設定温度と室温との差が小さいときは燃焼装置１４の出力熱量及びファンモータ１５の回転数を小さくする。
【００３７】
また、制御部１０は、燃焼装置１４の出力熱量に応じてイオン発生装置５を制御する。（ステップＳ７０）。すなわち、制御部１０は、燃焼装置１４の出力熱量が大きいときはイオン発生装置５の電極に印加する電圧の平均値を大きくし、燃焼装置１４の出力熱量が小さいときはイオン発生装置５の電極に印加する電圧の平均値を小さくする。
【００３８】
例えば、燃焼装置１４の出力熱量が大きいときはイオン発生装置５の電極に連続的に電圧を印加し、燃焼装置１４の出力熱量が小さいときはイオン発生装置５の電極に断続的に電圧を印加する。イオン発生装置５の電極に連続的に電圧が印加されているときは“ジー”という放電音が発生し、イオン発生装置５の電極に断続的に電圧が印加されているときは“チッチッチ”という放電音が発生する。燃焼装置１４の出力熱量が小さいときは燃焼音が小さいためにイオン発生装置の放電音が目立つが、“ジー”という放電音より“チッチッチ”という放電音の方が目立たないので上記制御動作を行うことで燃焼装置１４の出力熱量が小さいときのユーザーの不快感を低減することができる。
【００３９】
また、燃焼装置１４の出力熱量が大きいときはイオン発生装置５の電極に連続的に電圧を印加し、燃焼装置１４の出力熱量が小さいときは燃焼装置１４の出力熱量が大きいときよりも小さい電圧をイオン発生装置５の電極に連続的に印加するようにしてもよい。燃焼装置１４の出力熱量が小さいときは燃焼音が小さいためにイオン発生装置５の放電音が目立つが、上記制御動作を行うことで燃焼装置１４の出力熱量が小さいときのイオン発生装置５の放電音量を小さくできるので、燃焼装置１４の出力熱量が小さいときのユーザーの不快感を低減することができる。
【００４０】
続くステップＳ８０では、制御部１０は、室温が設定温度より高いか否かと運転スイッチ１１の押下を検知したか否かを判定する。室温が設定温度より高くなく尚かつ運転スイッチ１１の押下を検知していないと判定されれば（ステップＳ８０のＮｏ）、ステップＳ７０に移行する。一方、室温が設定温度より高い及び／又は運転スイッチ１１の押下を検知したと判定されれば（ステップＳ８０のＹｅｓ）、制御部１０はイオン発生装置５の駆動を停止する（ステップＳ９０）。そして、制御部１０は燃焼装置１４の消火を行う（ステップＳ１００）。具体的には、制御部１０からの制御命令にしたがって、燃焼装置１４は、電磁ポンプを停止して燃料タンクから気化器への石油の供給を停止する。
【００４１】
燃焼装置１４が消火してから所定の期間経過後に、制御部１０はファンモータ１５の回転駆動を停止する（ステップＳ１１０）。燃焼装置１４の消火を行ってから所定の期間が経過するまでファンモータ１５を回転駆動させることにより本体内部を冷却することができる。
【００４２】
ステップＳ９０〜ステップＳ１１０の制御動作を行うことで、イオン発生装置５が駆動しているときは、ファン７及びファンモータ１５の回転音及び燃焼装置１４の燃焼音が発生する。したがって、イオン発生装置５が駆動しているときは、ファン７及びファンモータ１５の回転音及び燃焼装置１４の燃焼音によってイオン発生装置５の放電音を目立たなくすることができ、ユーザーに不快感をもたらすことを低減することができる。
【００４３】
続くステップＳ１２０では、制御部１０が運転スイッチ１１の押下を検知したか否かを判定する。運転スイッチ１１の押下を検知したと判定されれば（ステップＳ１２０のＹｅｓ）、操作部４の運転ランプを消灯し（ステップＳ１３０）、運転を終了する。一方、運転スイッチ１１の押下を検知していないと判定されれば（ステップＳ１２０のＮｏ）、制御部１０は室温が設定温度より所定値以上低いか否かを判定する（ステップＳ１４０）。室温が設定温度より所定値以上低いと判定されれば（ステップＳ１４０のＹｅｓ）、ステップＳ２０に移行し燃焼装置１４の再点火を行う。室温が設定温度より所定値以上低くないと判定されれば（ステップＳ１４０のＮｏ）、ステップＳ１２０に移行する。
【００４４】
制御部１０が図４に示すフローチャートにしたがって制御動作を行うことによってイオン発生装置５の放電音を目立たなくすることができる。しかしながら、イオン発生装置の放電音が目立たなくすることよりも正負イオンによって得られる効果を優先させたいという要望を有するユーザーもいる。この要望に応えるために、制御部１０が図４に示すフローチャートの代わりに図５に示すフローチャートにしたがって制御動作を行うようにしてもよい。なお、図５において図４と同一のステップには同一の符号を付し詳細な説明を省略する。
【００４５】
ステップＳ１０〜ステップＳ８０については図４に示すフローチャートと同様であるので、説明を省略する。ステップＳ８０において室温が設定温度より高い及び／又は運転スイッチ１１の押下を検知したと判定されれば（ステップＳ８０のＹｅｓ）、制御部１０は燃焼装置１４の消火を行い（ステップＳ１００）、燃焼装置１４の消火後から所定の期間経過後にイオン発生装置５の駆動及びファンモータ１５の回転駆動を停止する（ステップＳ１１５）。燃焼装置１４の消火を行ってから所定の期間が経過するまでファンモータ１５を回転駆動させることにより本体内部を冷却することができる。ファンモータ１５が回転駆動している期間はイオン発生装置５も駆動しているので、図４の制御フローチャートに従う制御動作の場合に比べて正負イオンによって得られる効果を奏する時間を長くすることができる。ただし、燃焼装置１４の消火後は燃焼装置１４の燃焼音がないので、イオン発生装置５で発生する放電音が目立つことになる。なお、燃焼装置１４の消火を行ってからファンモータ１５の回転駆動が停止するまでの期間においてもステップＳ７０と同様に燃焼装置１４の出力熱量に応じてイオン発生装置５を制御するようにしてもよい。この場合、燃焼装置１４の消火を行ってからファンモータ１５の回転駆動が停止するまでの期間は燃焼装置１４の出力熱量が零であるので、イオン発生装置５の電極に印加される電圧の平均値は最小となり、イオン発生装置５で発生する放電音を最小にすることができる。
【００４６】
ステップＳ１１５の制御動作が終わると、ステップＳ１２０に移行する。ステップＳ１２０〜ステップＳ１４０については図４に示すフローチャートと同様であるので、説明を省略する。
【００４７】
制御部１０が図５に示すフローチャートにしたがって制御動作を行うことによってイオン発生装置の放電音が目立たなくすることよりも正負イオンによって得られる効果を優先させることができる。しかしながら、正負イオンによって得られる効果をできうる限り長い時間享受したいという要望を有するユーザーもいる。この要望に応えるために、制御部１０が図４に示すフローチャートの代わりに図６に示すフローチャートにしたがって制御動作を行うようにしてもよい。なお、図６において図４と同一のステップには同一の符号を付し詳細な説明を省略する。
【００４８】
ステップＳ１０〜ステップＳ８０については図４に示すフローチャートと同様であるので、説明を省略する。ステップＳ８０において室温が設定温度より高い及び／又は運転スイッチ１１の押下を検知したと判定されれば（ステップＳ８０のＹｅｓ）、制御部１０は燃焼装置１４の消火を行い（ステップＳ１００）、その後運転スイッチ１１の押下を検知したか否かを判定する（ステップＳ１２０）。
【００４９】
運転スイッチ１１の押下を検知したと判定されれば（ステップＳ１２０のＹｅｓ）、制御部１０はイオン発生装置５の駆動及びファンモータ１５の回転駆動を停止し（ステップＳ１２５）、操作部４の運転ランプを消灯し（ステップＳ１３０）、運転を終了する。
【００５０】
一方、運転スイッチの押下が検知していないと判定されれば（ステップＳ１２０のＮｏ）、制御部１０は室温が設定温度より所定値以上低いか否かを判定する（ステップＳ１４０）。室温が設定温度より所定値以上低くないと判定されれば（ステップＳ１４０のＮｏ）、ステップＳ１２０に移行する。室温が設定温度より所定値以上低いと判定されれば（ステップＳ１４０のＹｅｓ）、制御部１０は燃焼装置１４の再点火を行い（ステップＳ１５０）、着火判定を行う（ステップＳ１６０）。着火していると判定されれば（ステップＳ１６０のＹｅｓ）、ステップＳ７０に移行し、着火していないと判定されれば（ステップＳ１６０のＮｏ）、制御部１０は燃焼装置１４の動作を停止し、操作部４の表示装置にエラー表示をさせる（ステップＳ１７０）。
【００５１】
制御部１０が図６に示すフローチャートにしたがって制御動作を行うことによって、ステップＳ５０以降は石油ファンヒータ１の運転が終了するまで、イオン発生装置５が正負イオンを発生し、ファンモータ１５が回転駆動する。これにより、図５の制御フローチャートに従う制御動作の場合に比べて正負イオンによって得られる効果を奏する時間を長くすることができる。ただし、室温が設定温度より高くなり燃焼装置１４の消火を行ったのち、室温が設定温度より所定値以上低くなるまでの期間吹出口２から冷風が排出されることになる。なお、燃焼装置１４が消火状態であってイオン発生装置５及びファンモータ１５が駆動している期間においてもステップＳ７０と同様に制御部１０が燃焼装置１４の出力熱量に応じてイオン発生装置５を制御するようにしてもよい。この場合、燃焼装置１４の消火を行ってからファンモータ１５の回転駆動が停止するまでの期間は燃焼装置１４の出力熱量が零であるので、イオン発生装置５の電極に印加される電圧は最小となり、イオン発生装置５で発生する放電音を最小にすることができる。
【００５２】
なお、運転モード選択スイッチを設け、運転モード選択スイッチから出力される信号に応じて制御部１０が図４〜図６に示す制御フローチャートから一つを選択して制御動作を行うようにしてもよい。これにより、ユーザの好みに応じて音を目立たなくすることを優先させたり、正負イオンによって得られる効果を優先させたりすることができる。また、イオン発生量選択スイッチを設け、イオン発生量選択スイッチから出力される信号に応じて制御部１０がイオン発生装置５の電極に印加される電圧の平均値を制御するとともに、イオン発生装置５の電極に印加される電圧の平均値を大きくしたときはファンモータ１５の回転数を高めに補正し、イオン発生装置５の電極に印加される電圧の平均値を小さくしたときはファンモータ１５の回転数を低めに補正するようにしてもよい。これにより、ユーザの好みに応じてイオン発生量を多くしたときに、イオン発生装置５の放電音が大きくなるが、ファン７及びファンモータ１５の回転の音も大きくなるのでイオン発生装置５の放電音が目立たなくなる。
【００５３】
上述した実施形態では、イオン発生装置５から発生するイオンを正負イオンとして浮遊細菌の不活化、有害物質の無毒化、ウィルス類の不活化、室内の脱臭等の効果が得られるようにしたが、イオン発生装置５から発生するイオンを負イオンとしてリラクゼーション効果が得られるようにしてもよい。
【００５４】
また、上述した実施形態では石油ファンヒータについて説明したが、本発明は他の暖房機器（例えばガスファンヒータ）にも適用することができる。
【図面の簡単な説明】
【００５５】
【図１】は、本発明に係る石油ファンヒータの斜視図である。
【図２】は、本発明に係る石油ファンヒータの概略側断面図である。
【図３】は、本発明に係る石油ファンヒータの回路ブロック図である。
【図４】は、本発明に係る石油ファンヒータの制御フローチャートである。
【図５】は、本発明に係る石油ファンヒータの他の制御フローチャートである。
【図６】は、本発明に係る石油ファンヒータの更に他の制御フローチャートである。
【符号の説明】
【００５６】
１  石油ファンヒータ
２  吹出口
３  イオン吹出口
４  操作部
５  イオン発生装置
６  吸入口
７  ファン
８  通路
９  バーナー
１０  制御部
１１  運転スイッチ
１２  温度設定スイッチ
１３  室温センサ
１４  燃焼装置
１５  ファンモータ
【図１】
2005055122.tif 000003
【図２】
2005055122.tif 000004
【図３】
2005055122.tif 000005
【図４】
2005055122.tif 000006
【図５】
2005055122.tif 000007
【図６】
2005055122.tif 000008